(57)【要約】  約束情報に基づいた集会場所推薦方法とシステム、および記録媒体を提供する。集会場所推薦方法は、ユーザ端末機からネットワークを介して受信された情報に基づいて約束情報を登録する段階、登録された約束情報が含む位置情報に基づいて加盟店を選別する段階、選別された加盟店に約束情報を提供し、約束情報に関する逆提案の登録機能を加盟店に提供する段階（登録機能は、約束情報と関連して加盟店が場所、商品、およびサービスのうちの少なくとも１つに対する推薦情報を入力および登録する機能を含む）、および機能を利用して登録された推薦情報を前記ユーザ端末機に提供する段階を含む。【選択図】      図４
2018517980.tif 000002
【特許請求の範囲】
【請求項１】
コンピュータで実現される方法であって、
ユーザ端末機からネットワークを介して受信された情報に基づいて約束情報を登録する段階、
前記登録された約束情報が含む位置情報に基づいて加盟店を選別する段階、
前記選別された加盟店に前記約束情報を提供し、前記約束情報に関する逆提案の登録機能を前記加盟店に提供する段階であって、前記登録機能は、前記約束情報と関連して前記加盟店が場所、商品、およびサービスのうちの少なくとも１つに対する推薦情報を入力および登録する機能を含む段階、および
前記登録機能を利用して登録された推薦情報を前記ユーザ端末機に提供する段階
を含む、コンピュータで実現される方法。
【請求項２】
前記コンピュータで実現される方法は、
前記ユーザ端末機の要請にしたがい、前記推薦情報を登録した加盟店に約束場所に対する予約要請を送信する段階
をさらに含む、請求項１に記載のコンピュータで実現される方法。
【請求項３】
前記登録機能を利用して登録された推薦情報を前記ユーザ端末機に提供する段階は、
前記推薦情報を登録した加盟店リストを前記ユーザ端末機に提供し、
前記コンピュータで実現される方法は、
前記ユーザ端末機から前記加盟店リストで特定の加盟店に対する選択を受信する段階、および
前記選択の受信に応答し、前記特定の加盟店に約束場所に対する予約要請を送信する段階
をさらに含む、請求項１に記載のコンピュータで実現される方法。
【請求項４】
前記コンピュータで実現される方法は、
前記ユーザ端末機から前記加盟店リストで複数の加盟店に対する選択を受信する段階、
前記複数の加盟店に対する選択の受信に応答し、前記約束情報に対して前記複数の加盟店に対する投票を登録する段階、
前記約束情報に指定された人員それぞれの端末機から、前記複数の加盟店のうちのいずれか１つの加盟店に対する投票の意思を受信する段階、および
前記投票の意思によって前記複数の加盟店のうちから前記特定の加盟店を選定する段階
をさらに含む、請求項３に記載のコンピュータで実現される方法。
【請求項５】
前記登録機能を利用して登録された推薦情報を前記ユーザ端末機に提供する段階は、
前記加盟店リストに含まれた加盟店それぞれに対し、メッセンジャ内で該当の加盟店とのコミュニケーション機能を提供する、
請求項３に記載のコンピュータで実現される方法。
【請求項６】
前記コンピュータで実現される方法は、
前記約束場所に対する予約が完了すると、前記約束情報に指定された人員それぞれの端末機に予約情報を提供する段階
をさらに含む、請求項２に記載のコンピュータで実現される方法。
【請求項７】
前記コンピュータで実現される方法は、
前記登録された約束情報が含む時間情報を基準に、前記約束情報に指定された人員それぞれの端末機に前記約束情報に対するお知らせを提供する段階
をさらに含む、請求項１に記載のコンピュータで実現される方法。
【請求項８】
前記約束情報を登録する段階は、
メッセンジャ上のスケジュール機能を利用して生成された約束情報を登録する、
請求項１に記載のコンピュータで実現される方法。
【請求項９】
前記登録機能は、メッセンジャ上のスケジュール機能と連係して加盟店の予約現況を管理する機能を含む、
請求項１に記載のコンピュータで実現される方法。
【請求項１０】
前記約束情報を登録する段階は、
前記約束情報に指定された人員それぞれの参加の可否に応じて前記約束情報を更新する、
請求項１に記載のコンピュータで実現される方法。
【請求項１１】
請求項１ないし１０のうち何れか一項に記載の方法をコンピュータに実行させるコンピュータプログラム。
【請求項１２】
コンピュータシステムが約束場所を勧めるように制御する命令（ｉｎｓｔｒｕｃｔｉｏｎ）を含むコンピュータで読み取り可能な媒体であって、
前記命令は、
ユーザ端末機からネットワークを介して受信された情報に基づいて約束情報を登録する段階、
前記登録された約束情報が含む位置情報に基づいて加盟店を選別する段階、
前記選別された加盟店に前記約束情報を提供し、前記約束情報に関する逆提案の登録機能を前記加盟店に提供する段階であって、前記登録機能は、前記約束情報と関連して前記加盟店が場所、商品、およびサービスのうちの少なくとも１つに対する推薦情報を入力および登録する機能を含む段階、および
前記登録機能を利用して登録された推薦情報を前記ユーザ端末機に提供する段階
を含む方法によって前記コンピュータシステムを制御する、コンピュータで読み取り可能な格納媒体。
【請求項１３】
ユーザ端末機からネットワークを介して受信された情報に基づいて約束情報を登録する登録部、
前記登録された約束情報が含む位置情報に基づいて加盟店を選別する選別部、および
前記選別された加盟店に前記約束情報を提供し、前記約束情報に関する逆提案の登録機能を前記加盟店に提供し、前記登録機能を利用して登録された推薦情報を前記ユーザ端末機に提供する提供部であって、前記登録機能は、前記約束情報と関連して前記加盟店が場所、商品、およびサービスのうちの少なくとも１つに対する推薦情報を入力および登録する機能を含む、提供部
を備える、集会場所推薦システム。
【請求項１４】
前記提供部は、
前記ユーザ端末機の要請にしたがい、前記推薦情報を登録した加盟店に約束場所に対する予約要請を送信する、
請求項１３に記載の集会場所推薦システム。
【請求項１５】
前記提供部は、
前記推薦情報を登録した加盟店リストを前記ユーザ端末機に提供した後、前記ユーザ端末機から前記加盟店リストで特定の加盟店に対する選択を受信した場合、前記特定の加盟店に約束場所に対する予約要請を送信する、
請求項１３に記載の集会場所推薦システム。
【請求項１６】
前記提供部は、
前記ユーザ端末機から前記加盟店リストで複数の加盟店に対する選択を受信した場合、前記約束情報に対して前記複数の加盟店に対する投票を登録し、前記約束情報に指定された人員それぞれの端末機から前記複数の加盟店のうちのいずれか１つの加盟店に対する投票の意思を受信し、前記投票の意思にしたがって前記複数の加盟店のうちから前記特定の加盟店を選定する、
請求項１５に記載の集会場所推薦システム。
【請求項１７】
前記提供部は、
前記加盟店リストに含まれた加盟店それぞれに対し、メッセンジャ内で該当の加盟店とのコミュニケーション機能を提供する、
請求項１５に記載の集会場所推薦システム。
【請求項１８】
前記提供部は、
前記約束場所に対する予約が完了すると、前記約束情報に指定された人員それぞれの端末機に予約情報を提供する、
請求項１４に記載の集会場所推薦システム。
【請求項１９】
前記提供部は、
前記登録された約束情報が含む時間情報を基準に、前記約束情報に指定された人員それぞれの端末機に前記約束情報に対するお知らせを提供する、
請求項１３に記載の集会場所推薦システム。
【請求項２０】
前記登録部は、
メッセンジャ上のスケジュール機能を利用して生成された約束情報を登録する、
請求項１３に記載の集会場所推薦システム。
【請求項２１】
前記登録機能は、メッセンジャ上のスケジュール機能と連係して加盟店の予約現況を管理する機能を含む、
請求項１３に記載の集会場所推薦システム。
【発明の詳細な説明】
【技術分野】
【０００１】
本発明の実施形態は、約束情報を利用して集会場所を推薦する技術に関する。
【背景技術】
【０００２】
最近は、モバイルおよびユビキタスインフラの拡散によって各種サービスが個人のカスタマイズ型に進化している。
【０００３】
従来のカスタマイズ型サービスでは、ユーザの位置情報や選好情報に基づいて周辺の商品や情報を提供するサービスを提供している。
【０００４】
例えば、韓国公開特許公報第１０−２０１２−００６１２０６号（２０１２年０６月１３日）では、相互間で約束を設定したユーザの位置を基準とし、該当のユーザに約束場所到着情報を提供する技術が開示されている。
【０００５】
しかし、位置を基準として場所を検索する既存のサービスは、該当する位置の地域を基準として検索結果を提供したり、カテゴリブラウジングをサポートしたりする程度に過ぎない。
【先行技術文献】
【特許文献】
【０００６】
【特許文献１】韓国公開特許第１０−２０１２−００６１２０６号公報
【発明の概要】
【発明が解決しようとする課題】
【０００７】
ユーザが参加する集会の約束情報を加盟店に提供し、加盟店から逆に集会場所の推薦を受けてユーザに提供する、集会場所推薦方法、システム、および記録媒体を提供する。
【課題を解決するための手段】
【０００８】
コンピュータで実現される方法であって、ユーザ端末機からネットワークを介して受信した情報に基づいて約束情報を登録する段階、前記登録された約束情報が含む位置情報に基づいて加盟店を選別する段階、前記選別された加盟店に前記約束情報を提供し、前記約束情報に関する逆提案の登録機能を前記加盟店に提供する段階（前記登録機能は、前記約束情報と関連して前記加盟店が場所、商品、およびサービスのうちの少なくとも１つに対する推薦情報を入力および登録する機能を含む）、および前記登録機能によって登録された推薦情報を前記ユーザ端末機に提供する段階を含む、コンピュータで実現される方法を提供する。
【０００９】
コンピュータシステムが約束場所を推薦するように制御する命令（ｉｎｓｔｒｕｃｔｉｏｎ）を含むコンピュータで読み取り可能な媒体であって、前記命令は、ユーザ端末機からネットワークを介して受信した情報に基づいて約束情報を登録する段階、前記登録された約束情報が含む位置情報に基づいて加盟店を選別する段階、前記選別された加盟店に前記約束情報を提供し、前記約束情報に関する逆提案の登録機能を前記加盟店に提供する段階（前記登録機能は、前記約束情報と関連して前記加盟店が場所、商品、およびサービスのうちの少なくとも１つに関する推薦情報を入力および登録する機能を含む）、および前記登録機能によって登録された推薦情報を前記ユーザ端末機に提供する段階を含む方法によって前記コンピュータシステムを制御する、コンピュータで読み取り可能な格納媒体を提供する。
【００１０】
ユーザ端末機からネットワークを介して受信した情報に基づいて約束情報を登録する登録部、前記登録された約束情報が含む位置情報に基づいて加盟店を選別する選別部、および前記選別された加盟店に前記約束情報を提供し、前記約束情報に関する逆提案の登録機能を前記加盟店に提供し（前記登録機能は、前記約束情報と関連して前記加盟店が場所、商品、およびサービスのうちの少なくとも１つに関する推薦情報を入力および登録する機能を含む）、前記登録機能によって登録された推薦情報を前記ユーザ端末機に提供する提供部を備える、集会場所推薦システムを提供する。
【発明の効果】
【００１１】
本発明の実施形態によると、ユーザが参加する集会の約束情報を加盟店に提供し、加盟店から逆に集会場所の推薦を受けてユーザに提供することにより、ユーザと加盟店との間に購買およびサービスを効果的に連結させることができる。
【００１２】
本発明の実施形態によると、ユーザが約束情報をそのつど考えて集会場所を探さなければならない面倒と不便を解消することができ、加盟店の逆提案に直ぐに予約を進めることができるため、簡単かつ便利に集会場所を決めることができる。
【００１３】
本発明の実施形態によると、加盟店の立場では、ユーザの約束情報に関して推薦情報を提案するようにすることにより、Ｏ２Ｏ（Ｏｎｌｉｎｅ  ｔｏ  Ｏｆｆｌｉｎｅ）のマーケティングチャンスによって売場広報および顧客誘致の効果を提供することができる。
【図面の簡単な説明】
【００１４】
【図１】本発明の一実施形態における、集会場所推薦環境の例を説明するための図である。
【図２】本発明の一実施形態における、集会場所推薦環境の例を説明するための図である。
【図３】本発明の一実施形態における、集会場所推薦システムの内部構成を説明するためのブロック図である。
【図４】本発明の一実施形態における、集会場所推薦方法を説明するためのフローチャートである。
【図５】本発明の一実施形態における、約束登録手順と関連するユーザインタフェース画面を説明するための例示図である。
【図６】本発明の一実施形態における、加盟店の逆提案登録手順と関連するユーザインタフェース画面を説明するための例示図である。
【図７】本発明の一実施形態における、加盟店の逆提案登録手順と関連するユーザインタフェース画面を説明するための例示図である。
【図８】本発明の一実施形態における、加盟店の逆提案登録手順と関連するユーザインタフェース画面を説明するための例示図である。
【図９】場所推薦手順と関連するユーザインタフェース画面を説明するための例示図である。
【図１０】場所推薦手順と関連するユーザインタフェース画面を説明するための例示図である。
【図１１】場所推薦手順と関連するユーザインタフェース画面を説明するための例示図である。
【図１２】場所推薦手順と関連するユーザインタフェース画面を説明するための例示図である。
【図１３】本発明の一実施形態における、コンピュータシステムの内部構成の一例を説明するためのブロック図である。
【発明を実施するための形態】
【００１５】
以下、本発明の実施形態について、添付の図面を参照しながら詳細に説明する。
【００１６】
本実施形態は、約束情報を利用して集会場所を推薦する技術に関し、より詳細には、ユーザが参加する集会の約束情報を加盟店に提供し、加盟店から逆に集会場所の推薦を受けてユーザに提供する方法とシステム、および記録媒体に関する。
【００１７】
図１は、本発明の一実施形態における、集会場所推薦環境の例を説明するための図である。図１では、ユーザ端末１０１、加盟店端末１０２、および集会場所推薦システム１００を示している。図１において、矢印は、構成要素間で有線／無線ネットワーク１０を介してデータが送受信されることを意味する。
【００１８】
ユーザ端末１０１と加盟店端末１０２は、本明細書で説明される特徴のうちの１つ以上を実行するように構成された１つ以上のプロセスを実行してよい。ユーザ端末１０１と加盟店端末１０２は、集会場所推薦システム１００と関連するウェブ／モバイルサイトへの接続、またはサービス専用アプリケーションのインストールおよび実行が可能なすべての端末装置を意味してよい。ここで、ユーザ端末１０１と加盟店端末１０２は、ウェブ／モバイルサイトまたは専用アプリケーションの制御下で、サービス画面の構成、データ入力、データ送受信、データ保存などのようなサービス全般の動作を実行してよい。
【００１９】
ユーザ端末１０１と加盟店端末１０２の例としては、ＰＣ（ｐｅｒｓｏｎａｌ  ｃｏｍｐｕｔｅｒ）、ノート型パソコン（ｌａｐｔｏｐ  ｃｏｍｐｕｔｅｒ）、ラップトップコンピュータ（ｌａｐｔｏｐ  ｃｏｍｐｕｔｅｒ）、スマートフォン（ｓｍａｒｔ  ｐｈｏｎｅ）、タブレット（ｔａｂｌｅｔ）、ウェアラブルコンピュータ（ｗｅａｒａｂｌｅ  ｃｏｍｐｕｔｅｒ）などを含んでよいが、これらだけに限定されることはない。
【００２０】
ユーザ端末１０１と加盟店端末１０２は、ネットワーク１０（例えば、インターネットあるいはローカルエリアネットワークなど）に直接的にあるいは間接的に結合してよい。例えば、パーソナルコンピュータとノート型コンピュータは、有線ネットワーク連結によってネットワーク１０に直接的に結合してよい。ラップトップコンピュータは、ラップトップコンピュータと無線アクセスポイント（Ｗｉｒｅｌｅｓｓ  Ａｃｃｅｓｓ  Ｐｏｉｎｔ）（すなわち、ＷＡＰ）との間に確立された無線通信チャネルを介してネットワーク１０に無線で結合してよい。スマートフォンは、スマートフォンとセルラネットワーク／ブリッジとの間に確立された無線通信チャネルを介してネットワーク１０に無線で結合してよい。このとき、ネットワーク１０は、１つ以上の２次ネットワーク（図示せず）と通信してよく、２次ネットワークの例としては、ローカルエリアネットワーク（Ｌｏｃａｌ  Ａｒｅａ  Ｎｅｔｗｏｒｋ）、ワイドエリアネットワーク（Ｗｉｄｅ  Ａｒｅａ  Ｎｅｔｗｏｒｋ）、またはイントラネット（ｉｎｔｒａｎｅｔ）を含んでよいが、これらだけに限定されることはない。
【００２１】
ユーザ端末１０１と加盟店端末１０２は、上述したネットワーク１０を介して集会場所推薦システム１００と互いにインタフェースしてよい。
【００２２】
集会場所推薦システム１００は、本明細書で説明される特徴のうちの１つ以上を実行するように構成された１つ以上のプロセスを実行してよい。特に、集会場所推薦システム１００は、ユーザ端末１０１と加盟店端末１０２の相互間に情報を連結させる役割を担うものであって、ユーザの集会に対して加盟店が逆に提案した情報を提供する集会場所推薦サービスを提供してよい。
【００２３】
図２を参照しながら、集会場所推薦サービスの流れについて次のように説明する。
【００２４】
（１）ユーザは、メッセンジャ上のグループで、グループ内のユーザと共有する目的として、カレンダーやスケジュールなどの機能を利用して集会に関する約束情報を登録する。
【００２５】
（２）集会場所推薦システム１００は、ユーザの集会に対し、メッセンジャ上に登録された約束情報を加盟店に伝達する。
【００２６】
（３）加盟店は、ユーザの約束情報を確認し、提供可能な特典を提案する。
【００２７】
（４）集会場所推薦システム１００は、加盟店が提案した特典をユーザに推薦する。
【００２８】
（５）ユーザは、加盟店が提案した特典を確認し、特定の加盟店を約束場所に選択する。
【００２９】
（６）集会場所推薦システム１００は、ユーザが選択した特定の加盟店に、ユーザの集会に対する約束場所予約を要請する。
【００３０】
集会場所推薦システム１００は、サーバコンピュータに該当するものであって、サーバコンピュータの例としては、サーバコンピュータデバイス、パソコン、サーバコンピュータ、一連のサーバコンピュータ、ミニコンピュータ、および／またはメインフレームコンピュータを含んでよいが、これらだけに限定されることはない。サーバコンピュータは、分散型システムであってよく、サーバコンピュータの動作は、１つ以上のプロセッサ上で同時にそして／または順に実行されてよい。
【００３１】
上述した集会場所推薦システム１００は、メッセンジャサービスを提供するメッセンジャサーバ（図示せず）のプラットフォームに含まれる形態で実現されてよいが、これに限定されることはなく、メッセンジャサーバとは別のシステムで構築され、メッセンジャサーバとの連動によって集会場所推薦サービスを提供する形態で実現されることも可能である。また、集会場所推薦システム１００は、少なくとも一部の構成要素がユーザ端末１０１と加盟店端末１０２上にインストールされたアプリケーションの形態で実現されてもよく、あるいはクライアント−サーバ環境でサービスを提供するプラットフォームに含まれる形態で実現されてもよい。
【００３２】
以下、本発明に係る集会場所推薦システムおよび集会場所推薦方法について具体的に説明する。
【００３３】
図３は、本発明の一実施形態における、集会場所推薦システムの内部構成を説明するためのブロック図であり、図４は、本発明の一実施形態における、集会場所推薦方法を説明するためのフローチャートである。
【００３４】
本実施形態に係る集会場所推薦システム１００は、プロセッサ３１０、バス３２０、ネットワークインタフェース３３０、メモリ３４０、およびデータベース３５０を含んでよい。メモリ３４０は、オペレーティングシステム３４１およびサービス提供ルーチン３４２を含んでよい。プロセッサ３１０は、登録部３１１、選別部３１２、および提供部３１３を含んでよい。他の実施形態において、集会場所推薦システム１００は、図３の構成要素よりも多くの構成要素を含んでもよいが、大部分の従来技術的構成要素を明確に図に示す必要はない。例えば、集会場所推薦システム１００は、ディスプレイやトランシーバ（ｔｒａｎｓｃｅｉｖｅｒ）のような他の構成要素を含んでもよい。
【００３５】
メモリ３４０は、コンピュータで読み取り可能な記録媒体であって、ＲＡＭ（ｒａｎｄｏｍ  ａｃｃｅｓｓ  ｍｅｍｏｒｙ）、ＲＯＭ（ｒｅａｄ  ｏｎｌｙ  ｍｅｍｏｒｙ）、およびディスクドライブのような永久大容量記憶装置（ｐｅｒｍａｎｅｎｔ  ｍａｓｓ  ｓｔｏｒａｇｅ  ｄｅｖｉｃｅ）を含んでよい。また、メモリ３４０には、オペレーティングシステム３４１とサービス提供ルーチン３４２のためのプログラムコードが格納されてよい。このようなソフトウェア構成要素は、ドライブメカニズム（ｄｒｉｖｅ  ｍｅｃｈａｎｉｓｍ）（図示せず）を利用してメモリ３４０とは別のコンピュータで読み取り可能な記録媒体からロードされてよい。このような別のコンピュータで読み取り可能な記録媒体は、フロッピー（登録商標）ドライブ、ディスク、テープ、ＤＶＤ／ＣＤ−ＲＯＭドライブ、メモリカードなどのコンピュータで読み取り可能な記録媒体（図示せず）を含んでよい。他の実施形態において、ソフトウェア構成要素は、コンピュータで読み取り可能な記録媒体ではない通信モジュール３３０を通じてメモリ３４０にロードされてもよい。
【００３６】
バス３２０は、集会場所推薦システム１００の構成要素間の通信およびデータ送信を可能にする。バス３２０は、高速シリアルバス（ｈｉｇｈ−ｓｐｅｅｄ  ｓｅｒｉａｌ  ｂｕｓ）、パラレルバス（ｐａｒａｌｌｅｌ  ｂｕｓ）、ＳＡＮ（Ｓｔｏｒａｇｅ  Ａｒｅａ  Ｎｅｔｗｏｒｋ）、および／または他の適切な通信技術を利用して構成されてよい。
【００３７】
ネットワークインタフェース３３０は、集会場所推薦システム１００をコンピュータネットワークに連結させるためのコンピュータハードウェア構成要素であってよい。ネットワークインタフェース３３０は、集会場所推薦システム１００を無線または有線接続によってコンピュータネットワークに連結させてよい。
【００３８】
データベース３５０は、集会場所推薦サービスを提供するために必要なすべての情報を格納および維持する役割を担う。データベース３５０は、ユーザ別に約束情報を格納してよい。ここで、約束情報とは、プラットフォーム（例えば、メッセンジャ）上のカレンダーやスケジュールなどの機能によって生成された集会関連情報であって、場所、時間、参加人数、参加人員に含まれた個別のユーザ情報（例えば、メッセンジャアカウントなど）などを含んでよい。また、データベース３５０は、加盟店別に加盟店情報を格納してよい。ここで、加盟店情報とは、業種情報、商品／サービス情報、電話番号、位置情報、規模情報、価格情報などを含んでよい。ここで、加盟店情報は、約束情報と対応させて加盟店を選別するための情報として活用されてよい。
【００３９】
図３では、集会場所推薦システム１００の内部にデータベース３５０を構築して含まれると示されているが、これに限定されることはなく、システム実現方式や環境などに応じて省略されてもよく、あるいは全体または一部のデータベースが別の他のシステム上に構築された外部データベースとして存在することも可能である。
【００４０】
プロセッサ３１０は、基本的な算術、ロジック、および集会場所推薦システム１００の入出力演算を実行することにより、コンピュータプログラムの命令を処理するように構成されてよい。命令は、メモリ３４０またはネットワークインタフェース３３０によって、そしてバス３２０を介してプロセッサ３１０に提供されてよい。プロセッサ３１０は、登録部３１１、選別部３１２、および提供部３１３のためのプログラムコードを実行するように構成されてよい。このようなプログラムコードは、メモリ３４０のような記録装置に格納されてよい。
【００４１】
登録部３１１、選別部３１２、および提供部３１３は、図４の段階４１０〜段階４４０を実行するために構成されてよい。
【００４２】
段階４１０で、登録部３１１は、ユーザ端末から受信した情報に基づき、ユーザと関連する約束情報を登録してよい。一例として、登録部３１１は、ユーザ端末にインストールされたメッセンジャ上のカレンダーやスケジュールなどの機能によって生成された約束情報を、ユーザと関連付けて登録してよい。ここで、約束情報には、集会の場所（位置）、時間、人員、その他の事項などが含まれてよく、集会の人員は、メッセンジャの会話グループとしてメッセンジャに登録された会話相手のうちからユーザが選択した少なくとも１人以上の会話相手で構成されてよい。登録部３１１は、登録された約束情報に対して人員に含まれたユーザそれぞれが参加の可否を設定する場合、該当の約束情報を更新してよい。集会の人員は、参加の意思を明らかにした参加者と不参加の意思を明らかにした不参加者とに分けて管理可能である。
【００４３】
段階４２０で、選別部３１２は、段階４１０で登録された約束情報に基づき、約束場所として推薦可能な加盟店を選別してよい。選別部３１２は、約束情報に含まれた場所（位置）、時間、人員、その他の事項などを活用して加盟店を選別してよい。一例として、選別部３１２は、約束情報に含まれた位置情報に基づき、該当の位置の周辺に位置する加盟店（例えば、一定の半径内に位置する加盟店）あるいは該当の位置と関連する加盟店を選別してよい。加盟店の選別基準が集会の位置だけに限定されることはなく、多様な基準を適用して加盟店を選別することが可能である。
【００４４】
段階４３０で、提供部３１３は、約束情報に基づいて選別された加盟店に該当の約束情報を提供してよい。このとき、提供部３１３は、加盟店を対象に、約束情報に関する逆提案のための登録機能を提供してよい。ここで、登録機能には、約束情報の表示によって加盟店が約束情報を確認するための機能と共に、約束情報と関連して加盟店が場所、商品、およびサービスのうちの少なくとも１つに関する推薦情報を入力および登録する機能が含まれる。また、登録機能には、プラットフォーム上のカレンダーやスケジュールなどと連係して予約現況を管理し、予約処理を代行することのできる予約管理機能が追加で含まれてもよい。
【００４５】
段階４４０で、提供部３１３は、加盟店が登録機能によって登録した推薦情報を、該当の約束情報を登録したユーザ端末に提供する。提供部３１３は、ユーザが約束場所を決めるのに役立つ情報として推薦情報を提供してよく、さらに推薦情報別に、これを提案した加盟店情報を提供してよい。ここで、加盟店情報は、業種情報、商品／サービス情報、電話番号、位置情報、規模情報、価格情報などを含んでよい。このように、提供部３１３は、推薦情報を提案した加盟店の個別の詳細情報を提供してよい。また、提供部３１３は、予約に関し、追加の問い合わせ事項や要求事項などのためのコミュニケーションチャネルとして、メッセンジャ内でユーザと加盟店との間に電話機能やチャット機能などを提供してよい。
【００４６】
さらに、提供部３１３は、約束情報を登録したユーザを対象に予約機能を提供してよい。ここで、予約機能は、ユーザが推薦情報を提案した加盟店に予約を要請する機能を含む。また、予約機能には、約束場所に対する投票機能が追加で含まれてよく、ユーザが２つ以上の候補加盟店を選択して投票を登録すると、集会の人員に含まれたユーザが候補加盟店の投票に参加して最終約束場所を決定してよい。これにより、提供部３１３は、最終約束場所として選択された加盟店に予約要請情報を伝達してよいが、このとき、予約要請情報には、最近更新された約束情報が含まれて伝達されてよい。
【００４７】
提供部３１３は、ユーザの約束情報に対して予約が確定した場合、集会の人員に含まれるユーザに該当の集会を予約したことを知らせ、約束場所に関する予約情報を提供してよい。提供部３１３は、約束情報に時間情報が含まれた集会の場合には、時間情報を基準として該当の集会の人員に予めお知らせを提供してよい。例えば、約束情報に登録された時間になる一定の時間（例えば、１時間など）前に、参加人員に集会を知らせるメッセージなどを伝達してよい。
【００４８】
投票機会や予約情報、お知らせなどは、集会の人員のうちで不参加者を含むすべてのユーザに提供されてもよいし、あるいは参加者だけに提供されてもよい。また、提供部３１３は、予約の確定後には、約束場所として予約された加盟店以外の他の加盟店にユーザの約束情報が表示されないように制御したり、推薦情報の登録を制限したりしてよい。
【００４９】
上述では、選別された一部の加盟店から約束情報に対する逆提案を受けると説明しているが、これだけに限定されることはなく、他の例として、提供部３１３は、加盟店全体を対象とし、登録された約束情報をすべての加盟店が検索あるいは照会できるようにし、約束情報別に加盟店が特典やサービスなどを提案できる環境を提供することも可能である。このとき、提供部３１３は、予約が確定した約束情報は加盟店に表示せず、予約が確定していない未定状態または予約が取り消された状態の約束情報を加盟店に表示してよい。
【００５０】
したがって、本発明は、ユーザが登録した約束情報に基づき、加盟店が逆に提案した推薦情報を提供することができる。
【００５１】
図５は、約束登録手順に関するユーザインタフェースとしてユーザ端末に表示される約束登録画面５００の例を示した図である。
【００５２】
約束登録画面５００は、集会時間を入力するための時間入力メニュー５０１、集会場所を入力するための場所入力メニュー５０２、集会人員を入力するための人員入力メニュー５０３を含んでよい。
【００５３】
時間入力メニュー５０１には、日付選択のためのカレンダーやスケジュールなどを読み込む機能が含まれてよく、場所入力メニュー５０２には、位置選択のための地図サービスや検索サービスなどを読み込む機能が含まれてよく、人員入力メニュー５０３には、メッセンジャ上の会話グループあるいは会話相手、連絡先などを読み込む機能が含まれてよい。
【００５４】
また、約束登録画面５００には、約束場所として推薦を受けようとする加盟店に対し、業種やサービスなどのカテゴリを入力するためのメニューがさらに含まれてよい。
【００５５】
さらに、約束登録画面５００には、集会タイトルなどのように題目を入力するためのメニュー、集会に関する参照事項（例えば、選好場所や食物、忌避場所や食物、一部参加者の食性など）など、その他の内容を入力するためのメニューなどがさらに含まれてよい。
【００５６】
登録部３１１は、約束登録画面５００に入力された情報に基づいてユーザの約束情報を登録してよく、提供部３１３は、少なくとも一部の加盟店に先立って登録された約束情報を提供してよい。
【００５７】
図６は、加盟店の逆提案登録手順に関するユーザインタフェースとして加盟店端末に表示される提案登録画面６００の例を示した図である。
【００５８】
提案登録画面６００は、加盟店の端末機に表示されるサービスページであって、該当のページにユーザによって登録された約束情報６１０が表示されてよい。提案登録画面６００は、約束情報６１０それぞれに対する逆提案情報として、場所、商品、サービスのうちの少なくとも１つの推薦情報を入力するための提案入力メニュー６０４を含んでよい。
【００５９】
加盟店では、提案登録画面６００に表示された約束情報６１０を確認した後、約束情報６１０別に該当の情報に合わせて多様な形態の逆提案が可能である。約束情報の集会時間が午後７時〜１０時であり、人員が１０人であると仮定するとき、図７に示すように、収容可能な人員のうちで１０人の余裕がある加盟店１と、午後７時〜１０時に予約が可能な加盟店２などで約束情報に対する逆提案が可能である。このように、人気の高い加盟店の場合、予約可能な人員や時間などが逆提案の特典として登録されてよい。
【００６０】
さらに、図８を参照すると、提案登録画面８００は、カレンダーやスケジュールなどを利用して加盟店の予約現況を管理することができる予約管理機能が含まれ、予約現況を呼び出すための予約現況メニュー８０５が含まれてよい。予約現況メニュー８０５を選択する場合、該当の加盟店の予約現況を含むポップアップ画面８２０が現れてよく、これにより、加盟店では提案内容を登録するのに先立って予約管理機能を利用して予約現況を先に確認し、逆提案が可能であるか確認してよい。
【００６１】
図９は、場所推薦手順に関するユーザインタフェースとしてユーザ端末に表示される約束確認画面９００の例を示した図である。
【００６２】
約束確認画面９００は、集会人員に該当するユーザの端末機に表示されるサービスページであって、該当のページに該当の集会の約束情報９１０が表示されてよく、ユーザの参加意思（参加または不参加）を登録するためのメニューが含まれてよい。場合によっては、約束確認画面９００には、集会の人員に対して参加者と不参加者とを区分して表示してもよい。
【００６３】
特に、約束確認画面９００には、約束情報９１０に対して逆提案を登録した加盟店リスト９３０が表示されてよい。ここで、加盟店リスト９３０には、加盟店の店名、集会場所との距離、位置、業種などが含まれてよく、何よりも、加盟店で提案した特典やサービスなどが含まれてよい。
【００６４】
加盟店リスト９３０には、ユーザが約束場所として選択するための場所選択メニュー９３１が含まれてよい。さらに、加盟店リスト９３０には、加盟店それぞれに対して加盟店と直接連絡したりサービス連結などを支援したりするためのメニューとして、電話連結、リアルタイムチャット、ホームページリンクなどのコミュニケーション機能が追加で提供されてよい。
【００６５】
また、約束確認画面９００には、ユーザが加盟店リスト９３０から最終約束場所として選択した加盟店に予約を要請するための予約要請メニュー９４０が含まれてよい。
【００６６】
他の例として、約束確認画面には、約束場所に対する投票機能が含まれてよく、図１０を参照すると、ユーザが加盟店リスト１０３０から候補加盟店を２つ以上選択した後に投票を登録するための投票登録メニュー１０５０が含まれてよい。投票が登録されると、約束確認画面１０００には、候補加盟店のうちのいずれか１つを選択して投票に参加するための投票参加メニュー１０６０が含まれてよい。
【００６７】
投票が締め切られると、図１１に示すように、約束確認画面１１００には、投票によって選定された加盟店に関する情報１１３０が表示されてよく、該当の加盟店に約束場所予約を要請するための予約要請メニュー１１４０が含まれてよい。
【００６８】
約束場所予約が完了した状態では、図１２に示すように、約束確認画面１２００に約束場所として予約が確定した加盟店に関する情報１２３０が表示されてよく、さらに集会の取り消しや約束場所の変更などによって約束場所として予約された加盟店に予約の取り消しを要請するための予約取消メニュー１２５０が含まれてよい。
【００６９】
上述した過程において、予約要請権限、投票登録権限、予約取消権限などは、約束情報を生成したユーザに付与されてよい。
【００７０】
上述した集会場所推薦方法は、図１〜図１２を参照しながら説明した詳細内容に基づいて短縮された動作あるいは追加の動作を含んでよい。また、２つ以上の動作が組み合わされてもよく、動作の順序や位置が変更されてもよい。
【００７１】
図５〜図１２は、発明の理解を助けて説明の便宜のための例示的な画面であり、画面の構成や順序などはいくらでも変更可能である。
【００７２】
図１３は、本発明の一実施形態において、コンピュータシステムの内部構成の一例を説明するためのブロック図である。コンピュータシステム１３００は、少なくとも１つのプロセッサ（ｐｒｏｃｅｓｓｏｒ）１３１０、メモリ（ｍｅｍｏｒｙ）１３２０、周辺装置インタフェース（ｐｅｒｉｐｈｅｒａｌ  ｉｎｔｅｒｆａｃｅ）１３３０、入力／出力サブシステム（Ｉ／Ｏ  ｓｕｂｓｙｓｔｅｍ）１３４０、電力回路１３５０、および通信回路１３６０を少なくとも含んでよい。ここで、コンピュータシステム１３００は、ユーザ端末に該当してよい。
【００７３】
メモリ１３２０は、一例として、高速ＲＡＭ、磁気ディスク、ＳＲＡＭ、ＤＲＡＭ、ＲＯＭ、フラッシュメモリ、または不揮発性メモリを含んでよい。メモリ１３２０は、コンピュータシステム１３００の動作に必要なソフトウェアモジュール、命令語集合、またはその他にも多様なデータを含んでよい。ここで、プロセッサ１３１０や周辺装置インタフェース１３３０などの他のコンポーネントからメモリ１３２０へのアクセスは、プロセッサ１３１０によって制御されてよい。
【００７４】
周辺装置インタフェース１３３０は、コンピュータシステム１３００の入力周辺装置および／または出力周辺装置をプロセッサ１３１０およびメモリ１３２０に結合させてよい。プロセッサ１３１０は、メモリ１３２０に格納されたソフトウェアモジュールまたは命令語集合を実行し、コンピュータシステム１３００のための多様な機能を実行してデータを処理してよい。
【００７５】
入力／出力サブシステム１３４０は、多様な入力／出力周辺装置を周辺装置インタフェース１３３０に結合させてよい。例えば、入力／出力サブシステム１３４０は、モニタやキーボード、マウス、プリンタ、または必要に応じてタッチスクリーンやセンサなどの周辺装置を周辺装置インタフェース１３３０に結合させるためのコントローラを含んでよい。他の側面によると、入力／出力周辺装置は、入力／出力サブシステム１３４０を介さずに周辺装置インタフェース１３３０に結合されてもよい。
【００７６】
電力回路１３５０は、端末機のコンポーネントの全部または一部に電力を供給してよい。例えば、電力回路１３５０は、電力管理システム、バッテリや交流（ＡＣ）などのような１つ以上の電源、充電システム、停電検出回路（ｐｏｗｅｒ  ｆａｉｌｕｒｅ  ｄｅｔｅｃｔｉｏｎ  ｃｉｒｃｕｉｔ）、電力変換器やインバータ、電力状態表示子、または電力生成、管理、分配のための任意の他のコンポーネントを含んでよい。
【００７７】
通信回路１３６０は、少なくとも１つの外部ポートを利用して他のコンピュータシステムとの通信を可能にしてよい。または、上述したように、必要に応じて、通信回路１３６０はＲＦ回路を含み、電磁信号（ｅｌｅｃｔｒｏｍａｇｎｅｔｉｃ  ｓｉｇｎａｌ）とも知られているＲＦ信号を送受信することにより、他のコンピュータシステムとの通信を可能にしてもよい。
【００７８】
このような図１３の実施形態は、コンピュータシステム１３００の一例に過ぎず、コンピュータシステム１３００は、図１３に示されたコンポーネントの一部が除去されてもよいし、図１３には示されていない追加のコンポーネントをさらに備えてもよいし、２つ以上のコンポーネントを結合させる構成または配置を有してもよい。例えば、モバイル環境の通信端末のためのコンピュータシステムは、図１３に示されたコンポーネントの他にも、タッチスクリーンやセンサなどをさらに備えてもよく、通信回路１３６０には、多様な通信方式（ＷｉＦｉ（登録商標）、３Ｇ、ＬＴＥ、Ｂｌｕｅｔｏｏｔｈ（登録商標）、ＮＦＣ、Ｚｉｇｂｅｅ（登録商標）など）のＲＦ通信のための回路が備えられてもよい。コンピュータシステム１３００に含めることができるコンポーネントは、１つ以上の信号処理またはアプリケーションに特化した集積回路を含むハードウェア、ソフトウェア、またはハードウェアとソフトウェアとの組み合わせによって実現されてよい。
【００７９】
このように、本発明の実施形態によると、ユーザが参加する集会の約束情報を加盟店に提供し、加盟店から逆に集会場所に対する推薦を受けてユーザに提供することにより、ユーザと加盟店との間に購買およびサービスを効果的に連結させることができる。したがって、ユーザが約束情報をそのつど考慮して集会場所を探さなければならない面倒と不便を解消することができ、加盟店の逆提案に予約を直ぐに進めることができるため、簡単かつ便利に集会場所を決めることができる。さらに、加盟店の立場では、ユーザの約束情報に対して推薦情報を提案することにより、Ｏ２Ｏマーケティング機会によって売場広報および顧客誘致の効果を提供することができる。
【００８０】
本発明の実施形態に係る方法は、多様なコンピュータシステムで実行されることのできるプログラム命令（ｉｎｓｔｒｕｃｔｉｏｎ）の形態で実現され、コンピュータで読み取り可能な媒体に記録されてよい。
【００８１】
本実施形態に係るプログラムは、ＰＣ基盤のプログラムまたはモバイル端末専用のアプリケーションで構成されてよい。本実施形態におけるメッセンジャサービスと関連するアプリは、独立的に動作するプログラム形態で実現されてもよいし、あるいは特定のアプリケーションのイン−アプリ（ｉｎ−ａｐｐ）形態で構成され、前記特定のアプリケーション上で動作が可能なように実現されてもよい。
【００８２】
また、本発明の実施形態に係る方法は、メッセンジャサービスを提供するサーバシステムと関連するアプリケーションがユーザ端末機を制御して実行されてよい。一例として、このようなアプリケーションは、本明細書で説明される特徴のうちの１つ以上を実行するように構成された１つ以上のプロセスを実行してよい。また、このようなアプリケーションは、ファイル配布システムが提供するファイルを通じてユーザ端末機にインストールされてよい。一例として、ファイル配布システムは、ユーザ端末機の要求にしたがって前記ファイルを送信するファイル送信部（図示せず）を含んでよい。
【００８３】
上述した装置は、ハードウェア構成要素、ソフトウェア構成要素、および／またはハードウェア構成要素とソフトウェア構成要素との組み合わせによって実現されてもよい。例えば、実施形態で説明された装置および構成要素は、例えば、プロセッサ、コントローラ、ＡＬＵ（ａｒｉｔｈｍｅｔｉｃ  ｌｏｇｉｃ  ｕｎｉｔ）、デジタル信号プロセッサ（ｄｉｇｉｔａｌ  ｓｉｇｎａｌ  ｐｒｏｃｅｓｓｏｒ）、マイクロコンピュータ、ＦＰＧＡ（ｆｉｅｌｄ  ｐｒｏｇｒａｍｍａｂｌｅ  ｇａｔｅ  ａｒｒａｙ）、ＰＬＵ（ｐｒｏｇｒａｍｍａｂｌｅ  ｌｏｇｉｃ  ｕｎｉｔ）、マイクロプロセッサ、または命令を実行して応答することができる様々な装置のように、１つ以上の汎用コンピュータまたは特殊目的コンピュータを利用して実現されてよい。処理装置は、オペレーティングシステム（ＯＳ）およびＯＳ上で実行される１つ以上のソフトウェアアプリケーションを実行してよい。また、処理装置は、ソフトウェアの実行に応答し、データにアクセスし、データを格納、操作、処理、および生成してもよい。理解の便宜のために、１つの処理装置が使用されるとして説明される場合もあるが、当業者は、処理装置が複数の処理要素（ｐｒｏｃｅｓｓｉｎｇ  ｅｌｅｍｅｎｔ）および／または複数種類の処理要素を含んでもよいことが理解できるであろう。例えば、処理装置は、複数のプロセッサまたは１つのプロセッサおよび１つのコントローラを含んでよい。また、並列プロセッサ（ｐａｒａｌｌｅｌ  ｐｒｏｃｅｓｓｏｒ）のような、他の処理構成（ｐｒｏｃｅｓｓｉｎｇ  ｃｏｎｆｉｇｕｒａｔｉｏｎ）も可能である。
【００８４】
ソフトウェアは、コンピュータプログラム、コード、命令、またはこれらのうちの１つ以上の組み合わせを含んでもよく、所望するとおりに動作するように処理装置を構成したり、独立的または集合的に（ｃｏｌｌｅｃｔｉｖｅｌｙ）処理装置に命令したりしてよい。ソフトウェアおよび／またはデータは、処理装置に基づいて解釈されたり、処理装置に命令またはデータを提供したりするために、ある種類の機械、コンポーネント、物理装置、仮想装置（ｖｉｒｔｕａｌ  ｅｑｕｉｐｍｅｎｔ）、コンピュータ格納媒体または装置、または送信される信号波（ｓｉｇｎａｌ  ｗａｖｅ）に永久的または一時的に具現化（ｅｍｂｏｄｙ）されてもよい。ソフトウェアは、ネットワークによって接続されたコンピュータシステム上に分散され、分散された態様で格納されても実行されてもよい。ソフトウェアおよびデータは、１つ以上のコンピュータで読み取り可能な記録媒体に格納されてもよい。
【００８５】
実施形態に係る方法は、多様なコンピュータ手段によって実行可能なプログラム命令の形態で実現されてコンピュータで読み取り可能な媒体に記録されてよい。前記コンピュータで読み取り可能な媒体は、プログラム命令、データファイル、データ構造などを単独でまたは組み合わせて含んでよい。前記媒体に記録されるプログラム命令は、実施形態のために特別に設計されて構成されたものであってもよいし、コンピュータソフトウェア当業者に公知な使用可能なものであってもよい。コンピュータで読み取り可能な記録媒体の例としては、ハードディスク、フロッピディスク、磁気テープのような磁気媒体、ＣＤ−ＲＯＭ、ＤＶＤのような光媒体、フロプティカルディスク（ｆｌｏｐｔｉｃａｌ  ｄｉｓｋ）のような光磁気媒体、およびＲＯＭ、ＲＡＭ、フラッシュメモリなどのようなプログラム命令を格納して実行するように特別に構成されたハードウェア装置が含まれる。プログラム命令の例は、コンパイラによって生成されるもののような機械語コードだけではなく、インタプリタなどを使用してコンピュータによって実行される高級言語コードを含む。上述したハードウェア装置は、実施形態の動作を実行するために１つ以上のソフトウェアモジュールとして動作するように構成されてもよく、その逆も同じである。
【００８６】
以上のように、実施形態を、限定された実施形態と図面に基づいて説明したが、当業者であれば、上述した記載から多様な修正および変形が可能である。例えば、説明された技術が、説明された方法とは異なる順序で実行されたり、かつ／あるいは、説明されたシステム、構造、装置、回路などの構成要素が、説明された方法とは異なる形態で結合されたりまたは組み合わされたり、他の構成要素または均等物によって対置されたり置換されたとしても、適切な結果を達成することができる。
【００８７】
したがって、異なる実施形態であっても、特許請求の範囲と均等なものであれば、添付される特許請求の範囲に属する。
【符号の説明】
【００８８】
１００：集会場所推薦システム
３１１：登録部
３１２：選別部
３１３：提供部
【図１】
2018517980.tif 000003
【図２】
2018517980.tif 000004
【図３】
2018517980.tif 000005
【図４】
2018517980.tif 000006
【図５】
2018517980.tif 000007
【図６】
2018517980.tif 000008
【図７】
2018517980.tif 000009
【図８】
2018517980.tif 000010
【図９】
2018517980.tif 000011
【図１０】
2018517980.tif 000012
【図１１】
2018517980.tif 000013
【図１２】
2018517980.tif 000014
【図１３】
2018517980.tif 000015
【国際調査報告】
2018517980.tif 000016
2018517980.tif 000017
2018517980.tif 000018
2018517980.tif 000019